(57)【特許請求の範囲】
【請求項１】
ジョブに応じて転写紙に可視像を形成して出力する画像形成装置であって、
複数種類の転写紙がそれぞれ載置された給紙トレイと、
画像データに応じた可視像を転写紙上に形成する画像形成手段と、
前記給紙トレイから転写紙を前記画像形成手段に向けて搬送する搬送手段と、
各種表示を行う表示手段と、
前記搬送手段により搬送される前記転写紙の色を検知する色検知手段と、
前記転写紙の搬送と前記画像形成との制御を行う制御手段と、を有し、
前記制御手段は、
前記各給紙トレイに載置されている転写紙の種類、サイズ、斤量、色をトレイ情報として登録する機能と、
画像形成の各頁に使用される転写紙の種類、サイズ、斤量、色についてジョブ設定として指定する機能と、
画像形成の際に、前記トレイ情報に基づいて、前記ジョブに対応して各給紙トレイに載置されている転写紙を選択して前記搬送手段が搬送するよう制御する機能と、
前記ジョブで指定された転写紙の種類、サイズ、斤量、色と、前記色検知手段により検知された転写紙の色と、前記ジョブの実行で給紙された転写紙の給紙トレイに登録された転写紙の種類、サイズ、斤量とを前記表示手段に表示する機能と、
を有することを特徴とする画像形成装置。
【請求項２】
前記制御手段は、ジョブで指定された転写紙の色と、前記色検知手段により検知された転写紙の色とを比較し、比較結果を前記表示手段に表示する、
ことを特徴とする請求項１記載の画像形成装置。
【請求項３】
前記制御手段は、
ジョブで指定された転写紙の色の名称と、前記色検知手段により検知された転写紙の色の名称とを前記表示手段に表示する、
ことを特徴とする請求項１または請求項２に記載の画像形成装置。
【請求項４】
前記表示手段はカラー表示可能であり、
前記制御手段は、
ジョブで指定された転写紙の色と、前記色検知手段により検知された転写紙の色とについて、カラー表示と色の名称とを前記表示手段に表示する、
ことを特徴とする請求項１または請求項２に記載の画像形成装置。
【請求項５】
前記制御手段は、ジョブで指定された転写紙の色と、前記色検知手段により検知された転写紙の色とを比較し、不一致が発生した場合に、画像形成の実行を停止させる、
ことを特徴とする請求項１〜請求項４のいずれか一項に記載の画像形成装置。
【請求項６】
前記制御手段は、ジョブで指定された転写紙の表裏それぞれの色と、前記色検知手段により検知された転写紙の表裏それぞれの色とを前記表示手段に表示する、
ことを特徴とする請求項１〜請求項５のいずれか一項に記載の画像形成装置。
【請求項７】
前記色検知手段は、前記転写紙が片寄った状態で搬送されることを検知する片寄り色検知手段と兼用で構成されている、
ことを特徴とする請求項１〜請求項６のいずれか一項に記載の画像形成装置。
【請求項８】
前記制御手段は、前記色検知手段で検知された転写紙の色について、色の名称を登録する機能を有する、
ことを特徴とする請求項１〜請求項７のいずれか一項に記載の画像形成装置。
【請求項９】
前記制御手段は、前記各給紙トレイに載置されている転写紙の色について、前記色検知手段の検知結果により登録を行う、
ことを特徴とする請求項１〜請求項８のいずれか一項に記載の画像形成装置。
【請求項１０】
操作の入力がなされる操作入力部を備え、
前記制御手段は、前記各給紙トレイに載置されている転写紙の色について、前記操作入力部での入力により登録を行う、
ことを特徴とする請求項１〜請求項８のいずれか一項に記載の画像形成装置。
【請求項１１】
画像形成の制御を行う制御装置と、前記制御装置の画像形成の制御に伴って各種表示を行う表示装置と、前記制御装置の制御に基づいてジョブに応じて転写紙に可視像を形成して出力する画像形成装置と、を備えた画像形成システムであって、
前記画像形成装置は、
複数種類の転写紙がそれぞれ載置された給紙トレイと、
画像データに応じた可視像を転写紙上に形成する画像形成手段と、
前記給紙トレイから転写紙を前記画像形成手段に向けて搬送する搬送手段と、
前記搬送手段により搬送される前記転写紙の色を検知する色検知手段と、
を備え、
前記制御装置は、前記各給紙トレイに載置されている転写紙の種類、サイズ、斤量、色をトレイ情報として登録する機能と、画像形成の各頁に使用される転写紙の種類、サイズ、斤量、色についてジョブ設定として指定する機能と、画像形成の際に、前記トレイ情報に基づいて、前記ジョブに対応して各給紙トレイに載置されている転写紙を選択して前記搬送手段が搬送するよう制御する機能と、該ジョブで指定された転写紙の種類、サイズ、斤量、色と、前記色検知手段により検知された転写紙の色と、前記ジョブの実行で給紙された転写紙の給紙トレイに登録された転写紙の種類、サイズ、斤量とを前記表示装置に表示する機能と、
を有することを特徴とする画像形成システム。
【請求項１２】
前記制御装置は、ジョブで指定された転写紙の色と、前記色検知手段により検知された転写紙の色とを比較し、比較結果を前記表示装置に表示する、
ことを特徴とする請求項１１記載の画像形成システム。
【請求項１３】
前記制御装置は、
ジョブで指定された転写紙の色の名称と、前記色検知手段により検知された転写紙の色の名称とを前記表示装置に表示する、
ことを特徴とする請求項１１または請求項１２に記載の画像形成システム。
【請求項１４】
前記表示装置はカラー表示可能であり、
前記制御装置は、
ジョブで指定された転写紙の色と、前記色検知手段により検知された転写紙の色とについて、カラー表示と色の名称とを前記表示装置に表示する、
ことを特徴とする請求項１１または請求項１２に記載の画像形成システム。
【請求項１５】
前記制御装置は、ジョブで指定された転写紙の色と、前記色検知手段により検知された転写紙の色とを比較し、不一致が発生した場合に、前記画像形成装置における画像形成の実行を停止させる、
ことを特徴とする請求項１１〜請求項１４のいずれか一項に記載の画像形成システム。
【請求項１６】
前記画像形成装置は転写紙の両面に画像形成する機能を有し、
前記制御装置は、ジョブで指定された転写紙の表裏それぞれの色と、前記色検知手段により検知された転写紙の表裏それぞれの色とを前記表示装置に表示する、
ことを特徴とする請求項１１〜請求項１５のいずれか一項に記載の画像形成システム。
【請求項１７】
前記色検知手段は、前記転写紙が片寄った状態で搬送されることを検知する片寄り色検知手段と兼用で構成されている、
ことを特徴とする請求項１１〜請求項１６のいずれか一項に記載の画像形成システム。
【請求項１８】
前記制御装置は、前記色検知手段で検知された転写紙の色について、色の名称を登録する機能を有する、
ことを特徴とする請求項１１〜請求項１７のいずれか一項に記載の画像形成システム。
【請求項１９】
前記制御装置は、前記各給紙トレイに載置されている転写紙の色について、前記色検知手段の検知結果により登録を行う、
ことを特徴とする請求項１１〜請求項１８のいずれか一項に記載の画像形成システム。
【請求項２０】
操作の入力がなされる操作入力装置を備え、
前記制御装置は、前記各給紙トレイに載置されている転写紙の色について、前記操作入力装置での入力により登録を行う、
ことを特徴とする請求項１１〜請求項１８のいずれか一項に記載の画像形成システム。
【発明の詳細な説明】
【技術分野】
【０００１】
本発明は、転写紙にカラー用紙を含んだ状態で画像形成を実行する際に適切な転写紙に画像形成可能な画像形成装置および画像形成システムに関する。
【背景技術】
【０００２】
複数の給紙トレイを備え、各給紙トレイに異なる転写紙を載置しておき、画像形成実行中に給紙トレイを切り替える画像形成装置が存在している。この種の画像形成装置では、カラー用紙を仕切り紙として用いたり、カラー用紙をジョブ毎のセパレータとして用いたりしていた。
【０００３】
このような画像形成装置では、どの給紙トレイには何色の転写紙が載置されているかをトレイ情報として保持しておき、そのトレイ情報とジョブ情報とに応じて転写紙を選択して画像形成装置を実行するようにしていた。
【０００４】
なお、このような画像形成装置に関しては、以下の各特許文献に転写紙の色の選択や検出について、各種の提案がなされている。
【特許文献１】特開２００２−１９３４６５号公報（第１頁、図１）
【特許文献２】特開昭５８−１１７５６７号公報（第１頁、図１）
【特許文献３】特開平７−１８７４７５号公報（第１頁、図１）
【発明の開示】
【発明が解決しようとする課題】
【０００５】
以上の特許文献記載１の手法では、複数の給紙トレイのそれぞれにカラー用紙の色検知手段を備えておき、転写紙の色指定を含むジョブ情報により、指定色の転写紙がセットされた給紙トレイがあるかを検出し、あれば画像形成を実行するようにしている。
【０００６】
以上の特許文献２では、転写紙に対して光を照射するカラーＲＧＢ発光部（光源）と、該光源によって照射されて転写紙で反射した光を検出する受光部とを設け、受光出力を演算処理して、転写紙色を検知して操作表示部に表示する技術が記載されている。
【０００７】
また、以上の特許文献３では、給紙トレイに載置された色紙を色センサで検出し、ジョブセパレータとして使用される色紙が載置された給紙トレイが画像形成装置のどの給紙位置に装着されていても、色紙送出指令発生時に間違いなく色紙を送出できる手法が記載されている。
【０００８】
なお、以上の各特許文献のような場合、各給紙トレイの一番上に位置する転写紙の色を検知して、各給紙トレイに載置されている転写紙の色を判断しているため、給紙トレイ内に異なる色の色紙が混入している場合には、対処できないという問題を抱えている。
【０００９】
また、この場合に、異なる色の転写紙が１枚でも混入してしまった場合には、混入が生じた１冊の画像形成出力物全体が出荷できないヤレ紙として扱われることになり、大きな無駄が発生する。
【００１０】
プリントオンデマンドに使用される画像形成装置や画像形成システムでは、多種多様な転写紙が使用されており、転写紙の色も多様になっている。したがって、転写紙情報としては、紙種、紙サイズ、斤量に加えて、転写紙色も必要になる。
【００１１】
また、単純な単色転写紙での画像形成だけではなく、両面画像形成の際に表裏で異なる色が用いられる場合もあるが、上述した特許文献では対処することができない問題があった。
【００１２】
また、画像形成装置の給紙トレイが多段である場合に、オペレータによる給紙トレイのセットのミスなどがあった場合の対処も求められる。
また、以上の特許文献にあったような給紙トレイでの転写紙色検知を行う場合には、各給紙トレイにセンサを配置する必要があり、給紙トレイが多段になった場合に、コストアップするという問題も存在している。
【００１３】
そして、上記特許文献記載の手法では、ジョブによる転写紙色の指定と実際の画像形成の転写紙とを一致させようという試みはなされているものの、ジョブによる転写紙色の指定と実際の画像形成出力物における転写紙の色とが一致しているかを自動的に確認する手法が確立されておらず、オペレータが実際に画像形成出力物を確認しなければならないという問題が存在していた。
【００１４】
本発明は、以上のような課題を解決するためになされたものであって、ジョブに指定された所望の色の転写紙を用いて画像形成を実行し、ジョブによる転写紙色の指定と実際の画像形成出力物における転写紙の色とが一致しているかを自動的に確認可能な画像形成装置および画像形成システムを提供することを目的とする。
【課題を解決するための手段】
【００１５】
以上の課題を解決する本発明は、以下に記載するようなものである。
（１）請求項１記載の発明は、ジョブに応じて転写紙に可視像を形成して出力する画像形成装置であって、複数種類の転写紙がそれぞれ載置された給紙トレイと、画像データに応じた可視像を転写紙上に形成する画像形成手段と、前記給紙トレイから転写紙を前記画像形成手段に向けて搬送する搬送手段と、各種表示を行う表示手段と、前記搬送手段により搬送される前記転写紙の色を検知する色検知手段と、前記転写紙の搬送と前記画像形成との制御を行う制御手段と、を有し、前記制御手段は、前記各給紙トレイに載置されている転写紙の種類、サイズ、斤量、色をトレイ情報として登録する機能と、画像形成の各頁に使用される転写紙の種類、サイズ、斤量、色についてジョブ設定として指定する機能と、画像形成の際に、前記トレイ情報に基づいて、前記ジョブに対応して各給紙トレイに載置されている転写紙を選択して前記搬送手段が搬送するよう制御する機能と、該ジョブで指定された転写紙の種類、サイズ、斤量、色と、前記色検知手段により検知された転写紙の色と、前記ジョブの実行で給紙された転写紙の給紙トレイに登録された転写紙の種類、サイズ、斤量とを前記表示手段に表示する機能と、を有することを特徴とする画像形成装置である。
【００１６】
（２）請求項２記載の発明は、前記制御手段は、ジョブで指定された転写紙の色と、前記色検知手段により検知された転写紙の色とを比較し、比較結果を前記表示手段に表示する、ことを特徴とする請求項１記載の画像形成装置である。
【００１７】
（３）請求項３記載の発明は、前記制御手段は、ジョブで指定された転写紙の色の名称と、前記色検知手段により検知された転写紙の色の名称とを前記表示手段に表示する、ことを特徴とする請求項１または請求項２に記載の画像形成装置である。
【００１８】
（４）請求項４記載の発明は、前記表示手段はカラー表示可能であり、前記制御手段は、ジョブで指定された転写紙の色と、前記色検知手段により検知された転写紙の色とについて、カラー表示と色の名称とを前記表示手段に表示する、ことを特徴とする請求項１または請求項２に記載の画像形成装置である。
【００１９】
（５）請求項５記載の発明は、前記制御手段は、ジョブで指定された転写紙の色と、前記色検知手段により検知された転写紙の色とを比較し、不一致が発生した場合に、画像形成の実行を停止させる、ことを特徴とする請求項１〜請求項４のいずれか一項に記載の画像形成装置である。
【００２０】
（６）請求項６記載の発明は、前記制御手段は、ジョブで指定された転写紙の表裏それぞれの色と、前記色検知手段により検知された転写紙の表裏それぞれの色とを前記表示手段に表示する、ことを特徴とする請求項１〜請求項５のいずれか一項に記載の画像形成装置である。
【００２１】
（７）請求項７記載の発明は、前記色検知手段は、前記転写紙が片寄った状態で搬送されることを検知する片寄り色検知手段と兼用で構成されている、ことを特徴とする請求項１〜請求項６のいずれか一項に記載の画像形成装置である。
【００２２】
（８）請求項８記載の発明は、前記制御手段は、前記色検知手段で検知された転写紙の色について、色の名称を登録する機能を有する、ことを特徴とする請求項１〜請求項７のいずれか一項に記載の画像形成装置である。
【００２３】
（９）請求項９記載の発明は、前記制御手段は、前記各給紙トレイに載置されている転写紙の色について、前記色検知手段の検知結果により登録を行う、ことを特徴とする請求項１〜請求項８のいずれか一項に記載の画像形成装置である。
【００２４】
（１０）請求項１０記載の発明は、操作の入力がなされる操作入力部を備え、前記制御手段は、前記各給紙トレイに載置されている転写紙の色について、前記操作入力部での入力により登録を行う、ことを特徴とする請求項１〜請求項８のいずれか一項に記載の画像形成装置である。
【００２５】
（１１）請求項１１記載の発明は、画像形成の制御を行う制御装置と、前記制御装置の画像形成の制御に伴って各種表示を行う表示装置と、前記制御装置の制御に基づいてジョブに応じて転写紙に可視像を形成して出力する画像形成装置と、を備えた画像形成システムであって、前記画像形成装置は、複数種類の転写紙がそれぞれ載置された給紙トレイと、画像データに応じた可視像を転写紙上に形成する画像形成手段と、前記給紙トレイから転写紙を前記画像形成手段に向けて搬送する搬送手段と、前記搬送手段により搬送される前記転写紙の色を検知する色検知手段と、を備え、前記制御装置は、前記各給紙トレイに載置されている転写紙の種類、サイズ、斤量、色をトレイ情報として登録する機能と、画像形成の各頁に使用される転写紙の種類、サイズ、斤量、色についてジョブ設定として指定する機能と、画像形成の際に、前記トレイ情報に基づいて、前記ジョブに対応して各給紙トレイに載置されている転写紙を選択して前記搬送手段が搬送するよう制御する機能と、該ジョブで指定された転写紙の種類、サイズ、斤量、色と、前記色検知手段により検知された転写紙の色と、前記ジョブの実行で給紙された転写紙の給紙トレイに登録された転写紙の種類、サイズ、斤量とを前記表示装置に表示する機能と、を有することを特徴とする画像形成システムである。
【００２６】
（１２）請求項１２記載の発明は、前記制御装置は、ジョブで指定された転写紙の色と、前記色検知手段により検知された転写紙の色とを比較し、比較結果を前記表示装置に表示する、ことを特徴とする請求項１１記載の画像形成システムである。
【００２７】
（１３）請求項１３記載の発明は、前記制御装置は、ジョブで指定された転写紙の色の名称と、前記色検知手段により検知された転写紙の色の名称とを前記表示装置に表示する、ことを特徴とする請求項１１または請求項１２に記載の画像形成システムである。
【００２８】
（１４）請求項１４記載の発明は、前記表示装置はカラー表示可能であり、前記制御装置は、ジョブで指定された転写紙の色と、前記色検知手段により検知された転写紙の色とについて、カラー表示と色の名称とを前記表示装置に表示する、ことを特徴とする請求項１１または請求項１２に記載の画像形成システムである。
【００２９】
（１５）請求項１５記載の発明は、前記制御装置は、ジョブで指定された転写紙の色と、前記色検知手段により検知された転写紙の色とを比較し、不一致が発生した場合に、前記画像形成装置における画像形成の実行を停止させる、ことを特徴とする請求項１１〜請求項１４のいずれか一項に記載の画像形成システムである。
【００３０】
（１６）請求項１６記載の発明は、前記画像形成装置は転写紙の両面に画像形成する機能を有し、前記制御装置は、ジョブで指定された転写紙の表裏それぞれの色と、前記色検知手段により検知された転写紙の表裏それぞれの色とを前記表示装置に表示する、ことを特徴とする請求項１１〜請求項１５のいずれか一項に記載の画像形成システムである。
【００３１】
（１７）請求項１７記載の発明は、前記色検知手段は、前記転写紙が片寄った状態で搬送されることを検知する片寄り色検知手段と兼用で構成されている、ことを特徴とする請求項１１〜請求項１６のいずれか一項に記載の画像形成システムである。
【００３２】
（１８）請求項１８記載の発明は、前記制御装置は、前記色検知手段で検知された転写紙の色について、色の名称を登録する機能を有する、ことを特徴とする請求項１１〜請求項１７のいずれか一項に記載の画像形成システムである。
【００３３】
（１９）請求項１９記載の発明は、前記制御装置は、前記各給紙トレイに載置されている転写紙の色について、前記色検知手段の検知結果により登録を行う、ことを特徴とする請求項１１〜請求項１８のいずれか一項に記載の画像形成システムである。
【００３４】
（２０）請求項２０記載の発明は、操作の入力がなされる操作入力装置を備え、前記制御装置は、前記各給紙トレイに載置されている転写紙の色について、前記操作入力装置での入力により登録を行う、ことを特徴とする請求項１１〜請求項１８のいずれか一項に記載の画像形成システムである。
【発明の効果】
【００３５】
本発明によると以下のような効果が得られる。
（１）請求項１記載の発明では、複数種類の転写紙がそれぞれ載置された給紙トレイを備えた画像形成装置にて画像形成を行う際に、搬送される転写紙の色を色検知手段で検知し、ジョブで指定された転写紙の色と、色検知手段により検知された転写紙の色とを、表示手段に表示する。
【００３６】
この結果、ジョブに指定された所望の色の転写紙を用いて画像形成を実行し、ジョブによる転写紙色の指定と実際の画像形成出力物における転写紙の色とが一致しているかを確認可能になる。
【００３７】
（２）請求項２記載の発明では、複数種類の転写紙がそれぞれ載置された給紙トレイを備えた画像形成装置にて画像形成を行う際に、搬送される転写紙の色を色検知手段で検知し、ジョブで指定された転写紙の色と色検知手段により検知された転写紙の色とを比較し、この比較結果を表示手段に表示する。
【００３８】
この結果、ジョブに指定された所望の色の転写紙を用いて画像形成を実行し、ジョブによる転写紙色の指定と実際の画像形成出力物における転写紙の色とが一致しているか否かを確認可能になる。
【００３９】
（３）請求項３記載の発明では、制御手段は、ジョブで指定された転写紙の色の名称と、色検知手段により検知された転写紙の色の名称とを表示手段に表示する、ことを特徴とする請求項１または請求項２に記載の画像形成装置である。複数種類の転写紙がそれぞれ載置された給紙トレイを備えた画像形成装置にて画像形成を行う際に、搬送される転写紙の色を色検知手段で検知し、ジョブで指定された転写紙の色とその名称、色検知手段により検知された転写紙の色とその名称を、表示手段に表示する。
【００４０】
この結果、ジョブに指定された所望の色の転写紙を用いて画像形成を実行し、ジョブによる転写紙色の指定と実際の画像形成出力物における転写紙の色とが一致しているかを確認可能になる。なお、この場合、色そのものの表示だけでなく、色名称の表示も行っているため、濃度や発色の違う類似色などの区別も可能になる。
【００４１】
（４）請求項４記載の発明では、複数種類の転写紙がそれぞれ載置された給紙トレイを備えた画像形成装置にて画像形成を行う際に、搬送される転写紙の色を色検知手段で検知し、ジョブで指定された転写紙の色のカラー表示とその色名称、色検知手段により検知された転写紙の色のカラー表示とその色名称を、カラー表示可能な表示手段に表示する。
【００４２】
この結果、ジョブに指定された所望の色の転写紙を用いて画像形成を実行し、ジョブによる転写紙色の指定と実際の画像形成出力物における転写紙の色とが一致しているかを確認可能になる。なお、この場合、色そのもののカラー表示と色名称の表示とを行っているため、濃度や発色の違う類似色などの区別も可能になる。
【００４３】
（５）請求項５記載の発明では、ジョブで指定された転写紙の色と、色検知手段により検知された転写紙の色とを比較し、色の不一致が発生した場合には画像形成の実行を停止させるため、ジョブによる転写紙色の指定と実際の画像形成出力物における転写紙の色とが一致しているかを確認可能になると共に、ジョブに指定された色以外の色の転写紙による画像形成出力物が出力されることはなくなる。これにより、色違いの転写紙以外の、正常に出力された転写紙全体が無駄になってしまうことが防止される。すなわち、色違いの転写紙が搬送された箇所から正常な転写紙で画像形成を再開することで、転写紙の無駄を最小限に抑えることが可能になる。
【００４４】
（６）請求項６記載の発明では、ジョブで指定された転写紙の表裏それぞれの色と、色検知手段により検知された転写紙の表裏それぞれの色とを表示手段に表示する。
この結果、ジョブに指定された所望の色の転写紙を用いて両面の画像形成を実行し、ジョブによる転写紙の両面についての色の指定と実際の画像形成出力物における転写紙の両面の色とが一致しているかを確認可能になる。
【００４５】
（７）請求項７記載の発明では、転写紙が片寄った状態で搬送されることを検知する片寄り色検知手段を、色検知手段としても使用している。この結果、専用の検知手段を新たに設ける必要が無く、従来の装置をそのまま使用することが可能になる。
【００４６】
（８）請求項８記載の発明では、色検知手段で検知された転写紙の色について、色の名称を登録する機能を有する。このため、色検知手段で検知される色について、予め適切な名称を付与することで、濃度や発色の違う類似色などの区別も可能になる。
【００４７】
（９）請求項９記載の発明では、各給紙トレイに載置されている転写紙の色について、色検知手段の検知結果により登録を行う。
これにより、操作ミスを発生させることなく、ジョブに対応して、各給紙トレイに載置されている転写紙を適切に選択して画像形成することが可能になる。
【００４８】
（１０）請求項１０記載の発明では、各給紙トレイに載置されている転写紙の色について、操作入力部での入力により登録を行う。これにより、転写紙色についてきめ細かな設定が可能になり、ジョブに対応して、各給紙トレイに載置されている転写紙を適切に選択して画像形成することが可能になる。
【００４９】
（１１）請求項１１記載の発明では、複数種類の転写紙がそれぞれ載置された給紙トレイを備えた画像形成システムにて画像形成を行う際に、搬送される転写紙の色を色検知手段で検知し、ジョブで指定された転写紙の色と、色検知手段により検知された転写紙の色とを、表示装置に表示する。
【００５０】
この結果、ジョブに指定された所望の色の転写紙を用いて画像形成を実行し、ジョブによる転写紙色の指定と実際の画像形成出力物における転写紙の色とが一致しているかを確認可能になる。
【００５１】
（１２）請求項１２記載の発明では、複数種類の転写紙がそれぞれ載置された給紙トレイを備えた画像形成システムにて画像形成を行う際に、搬送される転写紙の色を色検知手段で検知し、ジョブで指定された転写紙の色と色検知手段により検知された転写紙の色とを比較し、この比較結果を表示装置に表示する。
【００５２】
この結果、ジョブに指定された所望の色の転写紙を用いて画像形成を実行し、ジョブによる転写紙色の指定と実際の画像形成出力物における転写紙の色とが一致しているか否かを確認可能になる。
【００５３】
（１３）請求項１３記載の発明では、複数種類の転写紙がそれぞれ載置された給紙トレイを備えた画像形成システムにて画像形成を行う際に、搬送される転写紙の色を色検知手段で検知し、ジョブで指定された転写紙の色とその名称、色検知手段により検知された転写紙の色とその名称を、表示装置に表示する。  この結果、ジョブに指定された所望の色の転写紙を用いて画像形成を実行し、ジョブによる転写紙色の指定と実際の画像形成出力物における転写紙の色とが一致しているかを確認可能になる。なお、この場合、色そのものの表示だけでなく、色名称の表示も行っているため、濃度や発色の違う類似色などの区別も可能になる。
【００５４】
（１４）請求項１４記載の発明では、複数種類の転写紙がそれぞれ載置された給紙トレイを備えた画像形成システムにて画像形成を行う際に、搬送される転写紙の色を色検知手段で検知し、ジョブで指定された転写紙の色のカラー表示とその色名称、色検知手段により検知された転写紙の色のカラー表示とその色名称を、カラー表示可能な表示装置に表示する。
【００５５】
この結果、ジョブに指定された所望の色の転写紙を用いて画像形成を実行し、ジョブによる転写紙色の指定と実際の画像形成出力物における転写紙の色とが一致しているかを確認可能になる。なお、この場合、色そのもののカラー表示と色名称の表示とを行っているため、濃度や発色の違う類似色などの区別も可能になる。
【００５６】
（１５）請求項１５記載の発明では、ジョブで指定された転写紙の色と、色検知手段により検知された転写紙の色とを比較し、色の不一致が発生した場合には画像形成の実行を停止させるため、ジョブによる転写紙色の指定と実際の画像形成出力物における転写紙の色とが一致しているかを確認可能になると共に、ジョブに指定された色以外の色の転写紙による画像形成出力物が出力されることはなくなる。これにより、色違いの転写紙以外の、正常に出力された転写紙全体が無駄になってしまうことが防止される。すなわち、色違いの転写紙が搬送された箇所から正常な転写紙で画像形成を再開することで、転写紙の無駄を最小限に抑えることが可能になる。
【００５７】
（１６）請求項１６記載の発明では、ジョブで指定された転写紙の表裏それぞれの色と、色検知手段により検知された転写紙の表裏それぞれの色とを表示装置に表示する。
この結果、ジョブに指定された所望の色の転写紙を用いて両面の画像形成を実行し、ジョブによる転写紙の両面についての色の指定と実際の画像形成出力物における転写紙の両面の色とが一致しているかを確認可能になる。
【００５８】
（１７）請求項１７記載の発明では、転写紙が片寄った状態で搬送されることを検知する片寄り色検知手段を、色検知手段としても使用している。この結果、専用の検知手段を新たに設ける必要が無く、従来の装置をそのまま使用することが可能になる。
【００５９】
（１８）請求項１８記載の発明では、色検知手段で検知された転写紙の色について、色の名称を登録する機能を有する。このため、色検知手段で検知される色について、予め適切な名称を付与することで、濃度や発色の違う類似色などの区別も可能になる。
【００６０】
（１９）請求項１９記載の発明では、各給紙トレイに載置されている転写紙の色について、色検知手段の検知結果により登録を行う。これにより、操作ミスを発生させることなく、ジョブに対応して、各給紙トレイに載置されている転写紙を適切に選択して画像形成することが可能になる。
【００６１】
（２０）請求項２０記載の発明では、各給紙トレイに載置されている転写紙の色について、操作入力部での入力により登録を行う。これにより、転写紙色についてきめ細かな設定が可能になり、ジョブに対応して、各給紙トレイに載置されている転写紙を適切に選択して画像形成することが可能になる。
【発明を実施するための最良の形態】
【００６２】
以下、図面を参照して本発明を実施するための最良の形態（以下、実施形態）を詳細に説明する。
図１は、本発明の第１の実施形態の画像形成装置１００として複写装置を具体例にした構成を示すブロック図である。
【００６３】
図１において、１０１は画像形成装置１００全体を制御する制御手段としてＣＰＵなどで構成された制御部、１０２は画像形成装置の設定の操作をユーザあるいはキーオペレータが入力する操作入力部、１０３は装置の状態をユーザに対して表示する表示部である。なお、ここでは、操作の入力と表示とを個別に行う操作入力部と表示部とを示したが、両方を行う操作表示部の構成であってもよい。１０６はトレイ情報や転写紙情報などの画像形成に関する各種情報を保持する情報記憶部である。
【００６４】
１１０は外部機器からの画像データを受け付けるインタフェースであり、画像形成装置１００がプリンタとして動作する際に画像データを受け付ける。
１２０は原稿の画像情報を光学的にスキャンして読み取って画像データを生成するスキャナ部であり、原稿の画像をスキャンして画像データを生成する画像読み取り部と、この画像読み取り部に対して原稿を自動的に給送する自動原稿給送手段（ＡＤＦ）とを備えて構成されている。
【００６５】
１３０はスキャナ部１２０で読み取って得られた画像データに所定の画像処理を施す画像処理部であり、必要に応じて画像データを保持するための所定の容量の画像メモリ１３５を有している。
【００６６】
１４０は画像データに応じた画像（トナー像）を記録紙上に形成して出力するプリントエンジンであり、給紙トレイから所望の記録紙を画像形成部に対して給紙する給紙部と、給紙された記録紙を所定の速度で搬送する搬送部と、画像データに応じたレーザビームを発生する画像書き込み部と、レーザビームに応じた潜像からトナー像を生成して記録紙に転写する画像形成部と、転写紙の色を検知する色検知手段と、を備えて構成されている。
【００６７】
図２は、本発明の第１の実施形態の画像形成システム１０００として、画像形成装置１００’、操作入力装置１０２’、表示装置１０３’、情報記憶装置１０６’、スキャナ装置１２０’、後処理装置２００’を用いた、印刷システム具体例にした構成を示すブロック図である。
【００６８】
この図２において、図１と同一物には同一番号を付し、図１と類似したものには同一番号に「’」を付している。この場合、印刷システムとして、画像形成や印刷を実行する画像形成装置１００’と、操作入力や各種表示を行う装置とが別室あるいは同じ室内でも離れた場所などに存在し、各種信号線やネットワークなどを介して接続されたものを示している。また、画像形成装置１００’として操作入力部１０２と表示部１０３などを備えているものの、それとは別に、離れた位置に操作入力装置１０２’や表示装置１０３’を有する画像形成システムであってもい。
【００６９】
なお、図２の画像形成システムの各部の構成は図１の画像形成装置と同一であるため、以下の実施形態では、画像形成装置１００を具体例にして説明を行うものとする。
また、図３は画像形成装置１００の画像形成動作に関する主要部の構成を示す構成図である。なお、ここでは、一例として、電子写真方式のモノクロ画像形成装置を具体例として用いている。なお、この図３では、本実施形態の特徴部分の動作説明に必要な部分の周囲を中心に記載してあり、その他の画像形成装置として既知の部分については省略してある。
【００７０】
まず、図３を参照して画像形成装置１００の構成と動作について説明する。給紙トレイ１５０ａ〜１５０ｄには搬送対象物としての転写紙が積載されており、給紙ローラ（図示せず）により転写紙が搬送路１６１に繰り出される。
【００７１】
繰り出された転写紙は、画像形成に適した所定の一定速度で搬送されつつ、ループローラ１６１ａ、レジストローラ１６１ｂ、転写前ローラ１６１ｃによりタイミング調整等がなされて、感光体ドラムや感光体ベルトなどの像担持体１７０からトナー像を転写される。
【００７２】
なお、この際に、図３の紙面垂直方向を長手方向として配置された片寄りセンサ１６１ｓにて、転写紙の片寄りが検知される。また、この片寄りセンサ１６１ｓが、カラーのラインセンサで構成されており、本実施形態の色検知手段１６１ｓを構成している。そして、この色検知手段１６１ｓは、画像形成面における転写紙の色を検知する。すなわち、両面画像形成であっても、画像形成第一面、画像形成第二面について、転写紙の色を検知する。この片寄り検知結果と、転写紙色検知結果とは、図１の制御部１０１に伝達される。
【００７３】
トナー像が転写された転写紙は搬送路１６２を搬送され、定着部１８０で加熱と加圧とによりトナー像が転写紙に定着される。この転写紙は、必要に応じて反転搬送部１６３でスイッチバック方式の反転搬送がなされて、表裏反転され、画像形成面が下向きにされて排出される。なお、反転搬送部１６３では、反転した転写紙と後続の転写紙との間で衝突が発生しないように、所定の搬送速度より高速でスイッチバックを実行する。
【００７４】
また、両面画像形成を実行する場合には、定着部１８０で定着された転写紙を循環搬送部１６４に導き、循環反転搬送部１６５でスイッチバック方式の反転搬送により表裏反転され、さらに循環搬送部１６６から搬送路１６１に導かれて、裏面の画像形成が実行される。なお、この循環反転搬送部１６５でも、反転した転写紙と後続の転写紙とで衝突が発生しないように、所定の搬送速度より高速でスイッチバックを実行する。
【００７５】
なお、正常に出力される転写紙と後述する色違いなどの異常な転写紙については、画像形成装置１００として既知の振り分け手段を備えていてもよいし、後処理装置２００として後処理の一環として振り分けを実行してもよい。
【００７６】
〔第一実施形態〕
以下、本実施形態の画像形成装置の動作（第一実施形態）について、図４と図７のフローチャートを参照して説明を行う。
【００７７】
まず、図４のフローチャートを参照して、画像形成に先立つ、転写紙登録について説明を行う。
ここで、オペレータが画像形成装置１００の操作入力部１０２を操作し、画像形成装置１００を通常の画像形成モードから転写紙登録モードにモード変更する（図４中のステップＳ４０１）。この転写紙登録モードでは、各給紙トレイに載置されている転写紙の種類、サイズ、斤量、色などをトレイ情報として登録するモードである。
【００７８】
この転写紙登録モードで、制御部１０１は、各給紙トレイに載置された転写紙を両面画像形成と同じ手順て、画像形成はせずに循環搬送させる。この際に、色検知手段１６１ｓにて、転写紙の両面についての色検知結果が得られる（図４中のステップＳ４０２）。なお、この転写紙の色検知を、色検知手段１６１ｓではなく、別途スキャナ部１２０を用いることも可能である。そして、この転写紙色検知結果は、制御部１０１に伝達される。
【００７９】
この色検知結果を受けた制御部１０１は、図５に示されるような転写紙選択画面を表示部１０３に表示する。
この図５に例示された転写紙選択画面では、転写紙の名称（図５（ａ））、紙種（図５（ｂ））、サイズ（図５（ｃ））、斤量（図５（ｄ））、色（図５（ｅ））、色名称（図５（ｆ））といった項目が表示されており、この各項目が各転写紙毎に表示される。
【００８０】
ここでは、サイズ（図５（ｃ））、色（図５（ｅ））、については、検知結果から制御部１０１が判断して表示を行う。
表示部１０１がカラー表示可能であれば、転写紙の色（図５（ｅ））はカラー表示を行う。また、転写紙の色は、片面が複数色の場合には、その複数色が明瞭になるように表示する（図５（ｅ１））。また、転写紙の両面で異なる色の場合には、その両面の色が明瞭になるように表示する（図５（ｅ２））。
【００８１】
また、転写紙の名称（図５（ａ））、紙種（図５（ｂ））、斤量（図５（ｄ））、色名称（図５（ｆ））については、操作入力部１０２からオペレータが入力する。
ここで、本実施形態では、色名称を図５（ｆ）のように表示している。なお、色名称に関しては、選択候補（図示せず）の中から選択してもよいし、片面２色や両面で異なる色の場合には、新規に色名称を入力してもよい。
【００８２】
また、色検知手段１６１ｓにて検知された転写紙色によらず、オペレータが転写紙色（図５（ｅ））をカラーパレットの選択候補（図示せず）から選択するようにしてもよい。彩度が類似して、明度が異なる色の転写紙を使用する場合などでは、このように、オペレータが修正することも可能である。このようにして、各給紙トレイに載置された転写紙についての各項目の設定が完了した場合には、オペレータが「ＯＫ」（図５（ｇ））のアイコンをクリックすることで、制御部１０１は転写紙登録を行い、以上の項目を転写紙情報あるいはトレイ情報として、情報記憶部１０６に保存する（図４中のステップＳ４０３）。
【００８３】
つぎに、図７のフローチャートを参照して、画像形成の実行について説明を行う。
ここで、まず、オペレータが操作入力部１０２からジョブ設定を行う（図７中のステップＳ７０１）。
【００８４】
ここで、制御部１０１は、表示部１０３に、図６のようなジョブ確認画面を表示する。このジョブ確認画面では、複数の頁について、各頁の頁No.（図６（ａ））毎に、使用される転写紙の紙種（図６（ｂ））、サイズ（図６（ｃ））、斤量（図６（ｄ））、転写紙色（図６（ｅ））などが、一覧表示される。
【００８５】
また、制御部１０１は、詳細表示モードとして、表示部１０３に図８のような各頁毎の画像形成イメージ表示画面を表示する。
この図８に示される詳細表示モードの画面では、たとえば、２頁分ずつ、各頁毎の画像形成イメージ表示画面（図８（ａ）（ｆ））と、その各頁で使用される転写紙の紙種（図８（ｂ）（ｇ））、転写紙サイズ（図８（ｃ）（ｈ））、転写紙斤量（図８（ｄ）（ｉ））、転写紙色（図８（ｅ）（ｊ））が表示される。
【００８６】
このような表示を参照し、オペレータは、ジョブにおいて使用される転写紙について確認し、必要であれば、該当するアイコンをクリックして、異なる紙種、サイズ、斤量、色の転写紙を選択したりといった設定を行う（図７中のステップＳ７０１）。
【００８７】
以上のオペレータによるジョブ設定が完了し、操作入力部１０２からスタートボタンが押下されると、制御部１０１は画像形成部１４０に指示を与えて画像形成を開始させる（図７中のステップＳ７０２）。
【００８８】
この画像形成実行中に、色検知手段１６１ｓで検知された転写紙の色についての検知結果が制御部１０１に伝達される。図３のように像担持体１７０より搬送方向の上流側に位置する色検知手段１６１ｓの検知結果を用いる場合には、画像形成実行直前に転写紙の色が判明することになる。
【００８９】
ここで、制御部１０１は、表示部１０３に、図９のようなジョブ実行確認画面を表示し、この画面において転写紙色検知結果を表示する（図７中のステップＳ７０３）。
この場合、制御部１０１は、ジョブ実行確認表示画面として、設定されたジョブの内容と、それに対応して実際に実行されたジョブの画像形成について、図９のように画面の左右で対比させた状態で表示を行う。
【００９０】
ここで、制御部１０１は、表示部１０３に、図９のようなジョブ実行確認画面を表示する。この設定されたジョブ内容表示画面（図９）では、画面の一方の半分に、複数の頁について、各頁の頁No.（図９（ａ））毎に、使用される転写紙の紙種（図９（ｂ））、サイズ（図９（ｃ））、斤量（図９（ｄ））、転写紙色（図９（ｅ））などが、一覧表示され、実際に実行されたジョブについて、画面の他方の半分に、複数の頁について、転写紙が出力されたトレイ（図９（ｆ））、使用された転写紙の紙種（図９（ｇ））、サイズ（図９（ｈ））、斤量（図９（ｉ））、転写紙色（図９（ｊ））などが、一覧表示される。なお、各頁毎の詳細ボタン（図９（ｋ））をクリックすることで、更に詳細な情報の表示がなされる。
【００９１】
この結果、ジョブに指定された所望の色の転写紙を用いて画像形成を実行し、ジョブによる転写紙色の指定と実際の画像形成出力物における転写紙の色とが一致しているかが、オペレータによって容易に確認可能な状態になる。なお、この場合、色そのもののカラー表示と共に、色名称の表示も行っているため、濃度や発色の違う類似色などの区別も可能になる。
【００９２】
なお、この制御部１０１の指示による表示部１０３におけるジョブ実行確認画面では、現在画像形成実行中の転写紙およびその前後の転写紙についての情報を表示しているが、オペレータが画面内の「戻る」や「進む」のアイコンをクリックすることで、少し前の設定内容と出力内容を確認したり、少し先の設定内容を予め確認することも可能である。
【００９３】
また、制御部１０１は、ジョブによって指定された転写紙の色と実際に搬送された転写紙の色とを比較し（図７中のステップＳ７０４）、転写紙色が一致している場合には（図７中のステップＳ７０４でＹＥＳ）、制御部１０１の制御によって、そのまま画像形成を実行し（図７中のステップＳ７０５）、画像形成された転写紙を所定の排紙トレイに排出する（図７中のステップＳ７０６）。
【００９４】
一方、転写紙色が一致していない場合には（図７中のステップＳ７０４でＮＯ）、制御部１０１の制御によって、画像形成の実行を停止させ（図７中のステップＳ７０７）、指定と異なる色の転写紙を別の所定の排紙トレイに排出し（図７中のステップＳ７０８）、指定とは異なる色の転写紙が搬送された異常が発生した旨を表示部１０３に表示する（図７中のステップＳ７０４）。この場合、制御部１０１は、表示部１０３において異常と判断される転写紙の項目の部分を点滅表示させたり、点滅表示と警告音による報知とを併用してもよい。
【００９５】
このように、ジョブで指定された転写紙の色と、色検知手段により検知された転写紙の色とを比較し、色の不一致が発生した場合には画像形成の実行を停止させるため、ジョブに指定された色以外の色の転写紙による画像形成出力物が出力されてしまうことはなくなる。また、これにより、色違いの転写紙以外の、それまでに正常に出力された転写紙全体が無駄になってしまうことが防止される。すなわち、色違いの転写紙が搬送された箇所から正常な転写紙で画像形成を再開することで、転写紙の無駄を最小限に抑えることが可能になる。
【００９６】
また、この実施形態では、両面画像形成の場合には、ジョブで指定された転写紙の表裏それぞれの色と、色検知手段により検知された転写紙の表裏それぞれの色とを表示部１０３に表示する。この結果、ジョブに指定された所望の色の転写紙を用いて両面の画像形成を実行し、ジョブによる転写紙の両面についての色の指定と実際の画像形成出力物における転写紙の両面の色とが一致しているかを確認可能になる。
【００９７】
また、以上の実施形態では、転写紙が片寄った状態で搬送されることを検知する片寄り色検知手段を、色検知手段１６１ｓとしても使用しているため、専用の検知手段を新たに設ける必要が無く、従来から存在する画像形成装置をそのまま使用することが可能になる。
【００９８】
また、転写紙登録の際に、転写紙の色について、色の名称を登録する機能を有するため、予め適切な名称を付与することで、表示部１０３のカラー表示では区別しにくい濃度や発色の違う類似色などの区別も可能になる。
【００９９】
また、以上の実施形態では、転写紙登録の際に、各給紙トレイに載置されている転写紙の色について、色検知手段１６１ｓの検知結果を用いたり、操作入力部１０２からの入力を用いたりして、転写紙の登録を行っている。これにより、転写紙色についてきめ細かな設定が可能になり、ジョブに対応して、各給紙トレイに載置されている転写紙を適切に選択して画像形成することが可能になる。
【０１００】
なお、以上の実施形態では、色検知手段１６１ｓを像担持体１７０の上流側に配置して画像形成を実行する前に停止させる具体例を示したが、色検知手段１６１ｓを像担持体の下流側に配置した場合であっても、該色違いの転写紙が排出される前の画像形成実行直後に画像形成装置の動作を停止させたり、該当する色違いの転写紙を別の所定の排紙トレイに排出することができ、ジョブに指定された色以外の色の転写紙による画像形成出力物が出力されてしまうことはなくなる。また、これにより、色違いの転写紙以外の、それまでに正常に出力された同じ部における転写紙全体が無駄になってしまうことが防止される。すなわち、色違いの転写紙が搬送された箇所から正常な転写紙で画像形成を再開することで、転写紙の無駄を１枚のみの最小限に抑えることが可能になる。
【０１０１】
なお、以上の実施形態では、色検知手段１６１ｓを像担持体１７０の上流側であってレジストローラ１６１ｂと転写前ローラ１６１ｃとの間に配置した具体例を示たが、この位置に限定されるものではない。各給紙トレイからの転写紙や両面画像形成のために循環する転写紙が合流する位置から、各排紙トレイへの排紙の振り分けを行う振り分け手段の前の位置であればよい。
【０１０２】
また、両面で色が異なる場合を検知するために、給紙トレイから給紙された転写紙の表面・両面画像形成のために循環して再給紙された転写紙の裏面を順番に色検知手段１６１ｓで色検知してもよいが、図１０に示すように、転写紙表面の色を検知する色検知手段１６１ｓａと転写紙裏面の色を検知する色検知手段１６１ｓｂとを用いて転写紙両面の色を同時に検知してもよい。
【０１０３】
なお、この色検知手段１６１ｓａと１６１ｓｂとは、別体のセンサであってもよいが、一体形成されていて中間部分で転写紙を挟んで通過させる形状のセンサであってもよい。
このように転写紙両面の色を同時に検知することで、表面の色はあっているものの裏面の色が設定と異なる場合に、表面の画像形成を実行する前に色違いを発見して画像形成動作を停止させることが可能になる。
【０１０４】
また、以上の実施形態において色とは、可視光域における通常の色に限られず、特定の励起光を照射することで発生する蛍光などを含むようにして検出と制御とを行うようにしてもよい。なお、以上の実施形態において、色の違いとして、光沢の有無を含めるように検出と制御を行うようにしてもよい。
【図面の簡単な説明】
【０１０５】
【図１】本発明の実施形態の画像形成装置の構成を示す構成図である。
【図２】本発明の実施形態の画像形成システムの構成を示す構成図である。
【図３】本発明の実施形態の画像形成装置の断面構成を示す構成図である。
【図４】本発明の実施形態の画像形成装置の動作（転写紙登録）を示すフローチャートである。
【図５】本発明の実施形態の画像形成装置の表示部での表示例を示す説明図である。
【図６】本発明の実施形態の画像形成装置の表示部での表示例を示す説明図である。
【図７】本発明の実施形態の画像形成装置の動作（ジョブ実行）を示すフローチャートである。
【図８】本発明の実施形態の画像形成装置の表示部での表示例を示す説明図である。
【図９】本発明の実施形態の画像形成装置の表示部での表示例を示す説明図である。
【図１０】本発明の実施形態の画像形成装置の構成を示す構成図である。
【符号の説明】
【０１０６】
１００  画像形成装置
１０１  制御部
１０２  操作入力部
１０３  表示部
１０６  情報記憶部
１２０  スキャナ
１３０  画像処理部
１４０  画像形成部
１６１ｓ  色検知手段
１６３  反転搬送部
１６４  循環搬送部
１６５  循環反転搬送部
１６６  循環搬送部
２００  後処理装置
１０００  画像形成システム
【図１】
0004420086.tif 000002
【図２】
0004420086.tif 000003
【図３】
0004420086.tif 000004
【図４】
0004420086.tif 000005
【図５】
0004420086.tif 000006
【図６】
0004420086.tif 000007
【図７】
0004420086.tif 000008
【図８】
0004420086.tif 000009
【図９】
0004420086.tif 000010
【図１０】
0004420086.tif 000011